(57)【要約】      （修正有）【課題】本考案は、植木鉢や天然素材を組み合わせるだけの工夫で音量を増幅したり、一度の注水で楽器のように様々な音色を発したり、滴水の加減で音種の異なる音を発したりする。【解決手段】本考案は、ドーム型反響部用植木鉢の上に点滴粒発生と音量増幅のための植木鉢や自然素材等を置いたり、複数陶器一体型滴水音発生部用瓶や二重構造化した組み立て式植木鉢水琴窟をセットしたりし、各々の底穴が貯水面と垂直方向に一直線上にきちんと並ぶように組み立てることにより、簡単に音量増幅、音色拡大、水滴観察等を行うことが可能となる。又、住居空間のインテリア用品として使用できる。心のリラックス効果も図れ、教育現場においては思考力、創造力、根気、集中力、想像力等をつける教材・教具となる。【選択図】図１
0003117069.tif 000002
【実用新案登録請求の範囲】
【請求項１】
水が適量入った容器の中に滴水音発生部用底穴式植木鉢を開口部が上になるように置き、その上に開口部の直径を同じくする反響用底穴式植木鉢を逆さに伏せ、組み立て、音響増幅用植木鉢や点滴粒発生部用品等を置き重ね、滴水すると、音楽を演奏しているかのようにきれいな音が発する植木鉢組み立て式水琴窟
【請求項２】
水が適量入った容器の中に横穴式植木鉢を入れ、その中に滴水音発生部用底穴式植木鉢と反響用底穴式植木鉢を組み立てて入れ、音量増幅が図れる植木鉢二重構造組み立て式水琴窟
【請求項３】
水が適量入った容器の中に各々高さが異なる複数陶器連結一体型滴水音発生瓶を置き、その上に各々の円柱の直径と直径を同じくする反響用底穴式植木鉢を逆さに伏せて組み立てた後、音響増幅用植木鉢や点滴粒発生部用品等も各々が連結するように組み合わせ、滴水すると、滴水方法により複数の瓶が連動するように音を発したり、各々が同時に或いは時間差をおいて単独で音を発したりする植木鉢組み立て式水琴窟
【考案の詳細な説明】
【技術分野】
【０００１】
本考案は、滴水音発生部と反響部と点滴粒発生部を各々分離し、組み立てるだけで滴水の落差や滴水時間、水滴の大きさ、水滴数を自由に加減し、好みの場所や好みの形状で好みの音色を手軽に聴くことができる植木鉢組み立て式水琴窟に関するものである。
【背景技術】
【０００２】
今までの水琴窟は、滴水音発生部と点滴粒発生部や反響部に穴を開けたり、支柱を使ってそれらを分離することで音色の工夫を試みたり、滴水音発生部や点滴粒発生部に複雑な装置を設置したり、点滴粒発生部を加工したりすることによって音を発生させる仕組みであり、形状も自由自在に変えられるものではなく、教育現場や家庭で子どもや一般人が容易に活用できる背景技術ではなかった。
【考案の開示】
【考案が解決しようとする課題】
【０００３】
（イ）従来の水琴窟は、瓶の側面に人工的に穴を開けたり、植木鉢の底穴をヤスリで削ったり、瓶の中に装置を設けたりする等の技術や科学的知識が必要であった。
（ロ）従来の水琴窟は、セッティングをしたら形状も音色もパターン化されがちであり、自由自在に住居空間や教育現場で個々人が自分で工夫し、セッティングを楽しむことはあまり重きに置かれていなかった。
（ハ）従来の水琴窟は、点滴粒発生部の上部の工夫が不足していた。
（ニ）従来の水琴窟は、水滴の落ちる様子や水滴の形状、水滴の落ちる箇所を容易に肉眼で観察することができなかった。
（ホ）従来の水琴窟は、分離した高さの異なる複数の瓶が釘一本で一体化された複数陶器連結一体型組み立て式水琴窟は存在しなかった。又、複数組み合わせた小さい瓶を大きな瓶の中に入れて音の響きを増幅させるという二重構造化された水琴窟も存在しなかった。
本考案は、以上の不便と欠点を解消し、解決しようとするものである。
【課題を解決するための手段】
【０００４】
水琴窟を滴水音発生部、反響部、点滴粒発生部の３部に分離し、点滴粒発生部にも植木鉢や透明ガラス容器を用いたり、ヘチマや竹、水苔などの自然植物や焼き物、寄せ植え籠等を置き、点滴粒発生部の仕組みを複雑化したり、立体化したりすることによって滴水の落差や滴水時間、水滴の大きさ、水滴数、全体的な形状、デザイン、音の種類が加減でき、上記課題（イ）（ロ）（ハ）（ニ）に関する問題点を解決している。また、滴水音発生部に使用する植木鉢を部分的に二重構造化したり、部分的に敷石を敷き、水位調整をしたり、水抜き穴が横にある特殊瓶の中に小さな瓶を組み合わせて入れたりすることで（ホ）に関する問題点を解決している。
【考案の効果】
【０００５】
加工をすることは何もなく、安価の植木鉢や自然素材を組み合わせるだけで、複雑で心地よい音色を簡単に発生させることができる。組み合わせが自由自在にでき、組み合わせ方によって音種や音の発生時間にも差異が見られるため、創る人、使う人、見る人の用途に応じ、個性豊かにアレンジでき、室内外のインテリアとして美しい色合いとフォルムで人々の目を楽しませることができる。飽きることなく作業に没頭でき、根気力を養いながら思考力や創造力、想像力、集中力が身に付く。創る過程、滴水時等で心の癒し効果が得られる。手動滴水・注水なので故障をすることがなく、水があればいつでもどこでも音を楽しむことができる。滴水や注水の仕方で音に変化が生まれる。教材・教具として高い価値が得られるものと推測できるものである。
【考案を実施するための最良の形態】
【０００６】
複数陶器連結一体型組み立て式水琴窟を除き、滴水音発生部用植木鉢や点滴粒発生部用植木鉢は響きがあり重量感のあるもの、反響部用植木鉢はドーム型で響きがあり、削る・摘む・植木鉢の厚さや模様の部分的長さ等に差異を生み出す立体装飾が施されているものを用いることである。点滴粒発生部用植木鉢の上には、保湿力があり、水滴の形状、数、落ち方が最良となるためのヘチマや竹、水苔などの自然植物や焼き物、寄せ植え籠等を複雑に置くとよい。滴水に落差が生じ、滴水時間も延長され、水滴数、音の種類にも複雑さが増し、一度の滴水で長時間、軽やかで心地よい音、ポーンポンという響きのある音などが発せられる。水滴観察用には、竹のすだれを立体的に組み合わせたり、足の付いた陶器を点滴粒発生部最上部に置いたり、透明ガラス容器を反響部用植木鉢の上に置き、その上に上述のような自然素材を載せたりする。複数陶器連結一体型組み立て式水琴窟の場合は、複数の陶器の上下及び陶器の空洞がともに大きく開口されたものを用い、各々の陶器の水深調整を図ることが最も必要とされる条件となる。最長の陶器の発生音状態を基準にして貯水量を決める。最短の陶器は陶器の内部に一回り小さな植木鉢を入れ、二重構造にすることによって水深を浅くし、水量調整をし、発生音を最良のものとする。その他の陶器の水深は内部に小石を入れたり、穴あき陶器を入れたりして水深調節を図ることによって最良の響きが得られる。各々の陶器や植木鉢、用品等の上部と下部で構成される空気層の形が貯水面に対して竹筒のように垂直方向に一直線上に位置するように組み立て、形作ることが大切である。
【実施例】
【０００７】
以下、添付図面に従って一実施例を説明する。１及び２は滴水音発生部用穴あき植木鉢である。貯水した容器１５に１及び２を入れ、１及び２と直径を等しくする３のドーム型穴あき植木鉢を伏せて重ねる。３の上に４及び５または４のみの植木鉢を置き、その上にヘチマや竹、竹製品、苔類などの天然素材や自然植物のセット、焼き物、小石等を載せ、各々の植木鉢の穴が貯水面に対して垂直線上に位置するように組み立てることにより植木鉢組み立て式水琴窟は出来上がる。４及び５の植木鉢は３から出る音を増幅する働きがある。３の上部の穴から音が発生しなくても、４及び５の植木鉢や天然素材や自然植物セット等を３の上に置くことによって音が聴こえるようになる。３の上に何を置くか、３の上をどのようにセッティングするかにより異なった音種を耳にすることが可能になる。４、５とその上に置くものを工夫することで単一音だけでなく、複雑な音色を生み出したり、一度の注水で長い時間音を楽しむことができたりする。複数陶器連結一体型組み立て式水琴窟の上方から発する音種に留意しながら水を注ぎ、作音状態が良好になりかかったときに、天然素材や自然植物セットの中身を決定し、置き方を工夫すると好みの音を創ることができる。
【０００８】
２の場合、３と同様のドーム型植木鉢が滴水音発生部陶器の数だけ必要となる。高さの違いを利用して、水流の方向や道筋や保湿力、水滴の数等を決定する材料６、７、８、１０などを工夫したり、水の注ぎ方を工夫したりすることにより、同時に或いは時間差をおいて様々な音が発生し、複数陶器連結一体型組み立て式水琴窟が楽器のような水音を奏でることができる。
【０００９】
何れも、４又は５の植木鉢部分に１１のようなヘチマを入れ、ヘチマを横型に設置すると、音の発生率もよく、ポーンと響く良音が聴こえるようになる。ヘチマが形作る天然のカーブ、繊維層群、中心部の空洞等が音発生の上で大切な役割を果たす。竹を形作るカーブも水滴を作るに適したカーブである。１２のように横に平たく敷いた竹製すだれ２枚を少しずらせたり、間に竹を入れ立体的に組み合わせたり、１３のように竹や木製の台で高低をつけて組み立てたりすると、水滴数、水滴量が増え、水滴を目で捉えながら水滴音を聴くことができる。７のように麻布で包んだ苔類、８のように苔類入り太麻紐の竹すだれ巻き、９のような竹篭製品、１０のような植物の根っこを使うと、一度の滴水で比較的長い時間種々の音種を楽しむことができる。
【００１０】
２の上に理科実験用の透明ガラス容器を使用すると、水滴形成や水滴落下の様子が肉眼で観察できる。目で水滴の観察をしながら、耳で発生音を聴くことが容易にできる。幼児の水滴遊びや理科・総合・図工・音楽・国語など学校での様々な学習で活用することができる。
【００１１】
二重構造の植木鉢組み立て式水琴窟は、植木鉢組み立て式水琴窟基本型の応用実施例の一つである。植木鉢組み立て式水琴窟基本型セットが小さい場合、音量を増幅させる上で効果がある。植木鉢組み立て式水琴窟を入れる植木鉢は、底穴式ではなく横穴式を使用し、１４のように陶器組み立て式水琴窟基本型セットの１と３がすっぽりと入る大きさのものを使う。
【図面の簡単な説明】
【００１２】
【図１】植木鉢組み立て式水琴窟基本型の正面図である。
【図２】植木鉢組み立て式水琴窟点滴粒発生部用品応用実施例の正面図である。
【図３】複数陶器連結一体型組み立て式水琴窟実施例正面図である。
【図４】二重構造の植木鉢組み立て式水琴窟実施例正面図である。
【符号の説明】
【００１３】
１  滴水音発生部用植木鉢基本型
２  複数陶器連結一体型組み立て式水琴窟用陶器
３  ドーム型反響部用植木鉢
４  点滴粒発生部用及び音量増幅用植木鉢
５  透明ガラス容器
６  点滴粒発生部用寄せ上セット
７  麻布等で包んだ苔類
８  苔類入り麻布の竹すだれ巻き
９  竹篭類製品
１０  柔らかくて長い束上になった植物及びその根
１１  音量増幅用ヘチマ
１２  竹製のすだれ
１３  竹や木製の台
１４  横穴式植木鉢
１５  貯水容器
【図１】
0003117069.tif 000003
【図２】
0003117069.tif 000004
【図３】
0003117069.tif 000005
【図４】
0003117069.tif 000006